(57)【要約】【課題】本発明は、コロナ帯電器の放電部材へ微小な不純物の付着を抑止して像担持体表面への良好な帯電を継続して行うことができる画像形成装置を提供することを目的とするものである。【解決手段】コロナ帯電器１８は、放電ワイヤ４０と、それを囲むように配設されたケーシング４１と、ケーシング４１の開口部に配設されたグリッド４２とを備えており、放電ワイヤ４０には、グリッド４２の反対側に板状の導電部材４３が近接配置されており、コロナ放電部材４０と同じ７ｋＶの高電圧が印加されている。導電部材４３が配置されることで、放電ワイヤ４０との間の電界が０に近くなってコロナ放電がほとんど発生しなくなり、放電ワイヤ４０への不純物の付着が抑えられる。【選択図】図２
2006003834.tif 000002
【特許請求の範囲】
【請求項１】
像担持体と、コロナ放電部材により前記像担持体の表面を帯電させる帯電手段と、前記像担持体の帯電表面を露光して静電潜像を形成する露光手段と、前記像担持体表面に形成された静電潜像にトナーを付着させて可視像化する現像手段と、前記像担持体の表面に形成されたトナー像を用紙に転写させる転写手段と、前記像担持体を回転制御するとともに用紙に画像形成するように前記各手段を制御する制御手段とを備えた画像形成装置において、前記帯電手段は、前記像担持体と前記コロナ放電部材の間に配設されたグリッドと、前記コロナ放電部材と前記グリッドとの間の空間領域以外に前記コロナ放電部材に沿って配設された板状の導電部材と、前記コロナ放電部材と前記グリッドとの間の空間領域に放電が発生するように前記コロナ放電部材に対して放電電圧を印加すると共に前記導電部材と前記コロナ放電部材との間の空間領域に放電が発生しないように前記導電部材に抑止電圧を印加する電圧印加手段とを備えていることを特徴とする画像形成装置。
【請求項２】
前記導電部材は、前記コロナ放電部材を囲むケーシングの一部であることを特徴とする請求項１に記載の画像形成装置。
【請求項３】
前記放電電圧及び前記抑止電圧は同一レベルであることを特徴とする請求項１又は２に記載の画像形成装置。
【発明の詳細な説明】
【技術分野】
【０００１】
本発明は、複写機、プリンタ、ファクシミリ装置などの画像形成装置に関する。
【背景技術】
【０００２】
電子写真方式の画像形成装置としては、像担持体として例えば感光体ドラムを用いて、その表面を帯電後、露光させて静電潜像を形成し、静電潜像にトナーを付着させて可視像化し用紙に転写するといった画像形成を行うものが知られている。こうした画像形成装置では、感光体ドラムの帯電工程において、コロナ放電を利用した、コロトロン帯電器やスコロトロン帯電器等のコロナ帯電器が用いられている。コロトロン帯電器は、放電部材として例えばタングステンからなるワイヤを用い、ワイヤを囲むように導電部材からなるケーシングが配置されており、ケーシング及び感光体ドラム表面を接地状態としてワイヤに数ｋＶの高電圧を印加して、ワイヤの周囲にコロナ放電を発生させている。そして、ケーシングには感光体ドラムに対向して開口部が設けられており、コロナ放電により生成されたイオンは開口部から流出して感光体ドラム表面の帯電が行われる。コロナ放電においては、放電部材の曲率半径が小さくなるほど放電しやすいという特性があり、そのため放電部材として一般にワイヤが用いられている。
【０００３】
スコロトロン帯電器は、コロトロン帯電器のケーシングの開口部に電位制御のための金属等のグリッドを配置したもので、グリッドに所定の電圧を印加することにより、グリッドから流出したイオンによる帯電で、感光体ドラムの表面電位がグリッドの印加電圧と同程度に達すると、イオンがグリッドから流出できなくなる。この効果により感光体ドラムの表面電位を均一に帯電することができる。
【０００４】
こうした帯電器においては、放電部材には高電圧が印加されて放電部材の近傍に強電界が発生してコロナ放電により感光体ドラムを帯電させる為のイオンが生成されているが、強電界の発生により空気中のイオン化した微小な不純物が放電部材全体に付着していく。そして、放電部材が汚れることによりコロナ放電にムラが発生して、さらには、コロナ放電の際に発生するＯ３やＮＯＸが感光体ドラムへ影響を及ぼし、感光体ドラム表面へ均一な帯電ができなくなってしまうことが知られている。
【０００５】
そこで、放電部材の汚れ対策として放電部材の清掃部材を設けることが行われている。例えば、特許文献１には、放電ワイヤの清掃部材を有しており、更に、清掃部材によって掻き取られ帯電ケース内に残留した残留異物を帯電ケース外に排出させるための気流発生装置を設けることが記載されている。また、特許文献２には、トナー外添加剤であるシリカ等の粉状体が、メインチャージャのチャージャワイヤに付着することを防止する為に、チャージャワイヤに気流を吹き付ける為の気流吹き付け装置を設けることが記載されている。また、特許文献３には、帯電ワイヤ上へのシリコン酸化物等の付着を防止する為にグリッドに略垂直で且つ帯電ワイヤに平行に付着用上ワイヤ及び付着用下ワイヤを設けて、付着用上ワイヤ及び付着用下ワイヤにシリコン酸化物等を付着させることが記載されている。
【特許文献１】特開２００１−３２６０５６号公報
【特許文献２】特開２０００−１９８１５号公報
【特許文献３】特開平１０−３０７４５２号公報
【発明の開示】
【発明が解決しようとする課題】
【０００６】
上述した特許文献１では、放電ワイヤの清掃部材を有しており、更に、清掃部材によって掻き取られ帯電ケース内に残留した残留異物を帯電ケース外に排出させるための気流発生装置を設けることにより、放電ワイヤを清浄に保つことにしているが、清掃部材を設けるためのスペースが必要となるなど構造が複雑でコストが高くなる。また、帯電ワイヤへの汚れを防止することにはならない。
【０００７】
特許文献２では、チャージャワイヤに気流を吹き付ける為の気流吹き付け装置を設けてチャージャワイヤに粉状体が付着することを防止しているが、放電装置とは別に気流吹き付け装置を設けるので、構造が複雑でコストが高くなる。また、特許文献３では、グリッドに略垂直で且つ帯電ワイヤに平行に付着用上ワイヤ及び付着用下ワイヤを設けることで帯電ワイヤ上へのシリコン酸化物等の付着を防止しているが、構造が複雑で、付着用上ワイヤ及び付着用下ワイヤにシリコン酸化物等が付着していくと、付着作用が落ちてくるので帯電ワイヤへシリコン酸化物等が付着することになってしまう。また、これを防ぐためには付着用ワイヤを清掃部材等で清掃する必要がある。
【０００８】
そこで、本発明は、コロナ帯電器の放電部材へ微小な不純物の付着を抑止して像担持体表面への良好な帯電を継続して行うことができる画像形成装置を提供することを目的とするものである。
【課題を解決するための手段】
【０００９】
像担持体と、コロナ放電部材により前記像担持体の表面を帯電させる帯電手段と、前記像担持体の帯電表面を露光して静電潜像を形成する露光手段と、前記像担持体表面に形成された静電潜像にトナーを付着させて可視像化する現像手段と、前記像担持体の表面に形成されたトナー像を用紙に転写させる転写手段と、前記像担持体を回転制御するとともに用紙に画像形成するように前記各手段を制御する制御手段とを備えた画像形成装置において、前記帯電手段は、前記像担持体と前記コロナ放電部材の間に配設されたグリッドと、前記コロナ放電部材と前記グリッドとの間の空間領域以外に前記コロナ放電部材に沿って配設された板状の導電部材と、前記コロナ放電部材と前記グリッドとの間の空間領域に放電が発生するように前記コロナ放電部材に対して放電電圧を印加すると共に前記導電部材と前記コロナ放電部材との間の空間領域に放電が発生しないように前記導電部材に抑止電圧を印加する電圧印加手段とを備えていることを特徴とする。さらに、前記導電部材は、前記コロナ放電部材を囲むケーシングの一部であることを特徴とする。さらに、前記放電電圧及び前記抑止電圧は同一レベルであることを特徴とする。
【発明の効果】
【００１０】
上記のような構成を有することで、像担持体とコロナ放電部材の間にグリッドを配設し、コロナ放電部材とグリッドとの間の空間領域以外にコロナ放電部材に沿って板状の導電部材を配設し、コロナ放電部材とグリッドとの間の空間領域に放電が発生するようにコロナ放電部材に対して放電電圧を印加すると共に導電部材とコロナ放電部材との間の空間領域に放電が発生しないように導電部材に抑止電圧を印加するので、像担持体の帯電に必要なコロナ放電部材とグリッドとの間の空間領域で放電させそれ以外の領域では放電させないように抑止されてその分コロナ放電部材への不純物の付着が抑止される。すなわち、導電部材に抑止電圧を印加することで、コロナ放電部材と導電部材との間の電界が弱まり、コロナ放電部材近傍でのコロナ放電が発生しなくなる。電界が弱まった分空気中の不純物を引き寄せる静電力が弱くなってコロナ放電部材へ不純物が付着することが抑止される。そして、導電部材がない場合に比べてコロナ放電部材の近傍に発生する電界は全体に弱くなることから、コロナ放電部材とグリッドとの間の空間領域に発生するコロナ放電では、副産物であるＯ３やＮＯＸの発生量を減少させることができる。さらに、導電部材の形状を板状とすることで、導電部材の平面部分からはコロナ放電がほとんど発生せず、導電部材に不純物が付着して汚れることを抑えることができる。
【００１１】
また、導電部材がコロナ放電部材を囲むケーシングの一部であることで、導電部材として別途取り付ける必要がなくなるとともに上述したように不純物の付着を抑えることができる。
【００１２】
また、放電電圧及び抑止電圧を同一レベルとすることで、コロナ放電部材と導電部材との間に発生する電界を十分弱くすることができ、両者の間にコロナ放電を発生させず、不純物の付着を抑えることが可能となる。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る画像形成装置全体の概略断面図である。画像形成装置１の上部には用紙排出トレイ１０が設けられ、その下部には、記録部２及び給紙部３が配されている。
【００１５】
給紙部３では、給紙カセット１１が配置されており、フラッパ１２に所定のサイズの用紙が複数枚積載されている。給紙カセット１１の右端部には、ピックアップローラ１３が配置されている。フラッパ１２は、積載された用紙の上面がピックアップローラ１３に圧接するように、図示しないバネ部材により上方に付勢されている。この状態でピックアップローラ１３が回転駆動すると、摩擦力により用紙が１枚ずつ用紙搬送路に給紙されるようになる。
【００１６】
給紙された用紙は、まずフィードローラ１４及びプレスローラ１５により記録部２に搬送される。記録部２では、搬送された用紙に記録するために、現像器１６、清掃手段１７、コロナ帯電器１８、感光体ドラム１９、転写ローラ２０、露光装置（レーザスキャナユニット）２１及び定着ローラ２２が備えられている。清掃手段１７は、転写後の感光体ドラム１９の表面に付着した残留トナーや紙粉等の異物を捕捉して感光体ドラム１９の表面を清掃する。コロナ帯電器１８は、コロナ放電部材からのコロナ放電により感光体ドラム１９の表面を一様に帯電する。一様に帯電された感光体ドラム１９に、露光装置２１で画像記録信号に応じて露光することで静電潜像が形成される。そして、現像器１６内のトナーを感光体ドラム１９に形成された静電潜像に転移させて、静電潜像を可視像化する。転写ローラ２０は、用紙を挟んで感光体ドラム１９と対向する位置に設置されており、所定の電圧が印加されると感光体ドラム１９表面に形成されたトナー像が用紙に転写される。そして、転写されたトナー像は、定着ローラ２２及びプレスローラ２３によって挟持されて加熱・プレスされ用紙に定着される。定着された用紙は、排紙ローラ２４及びプレスローラ２５の間に挟持されて用紙排出トレイ１０に搬出される。
【００１７】
また、装置本体の側面には、手差し給紙機構及び反転搬送機構が設けられており、手差し給紙を行う場合には、側面カバー２６を開いて給紙ローラ２７に用紙を差し込むことで行われる。差し込まれた用紙は、給紙ローラ２７によりフィードローラ１４及びプレスローラ１５に搬送されて記録動作が行われる。また、反転搬送を行う場合には、片面に記録した用紙が一旦排紙ローラ２４及びプレスローラ２５の間に挟持されて搬出された後排紙ローラ２４を逆回転して反転搬送路に搬送して、フィードローラ２８及びプレスローラ２９、フィードローラ３０及びプレスローラ３１の２対の搬送ローラにより下方に向けて搬送する。そして、再度フィードローラ１４及びプレスローラ１５に搬送されてもう一方の面に記録動作が行われ、用紙の両面に記録されるようになる。
【００１８】
図２は、図１における感光体ドラム１９及びコロナ帯電器１８の一部拡大断面図を示している。なお、本実施形態においてはコロナ帯電器１８としてスコロトロン帯電器を用いている。
【００１９】
図２において、コロナ帯電器１８は、コロナ放電部材として放電ワイヤ４０を備えており、感光体ドラム１９に対向するように所定間隔を空けて配設されている。放電ワイヤ４０は、タングステンからなる線径が３０μｍから１００μｍの線材を感光体ドラム１９の軸方向に沿って張設されている。また、導電材からなり断面コ字状のケーシング４１が放電ワイヤ４０を囲むように配設されており、感光体ドラム１９に対向する部分に開口部が形成されている。そして、ケーシング４１の開口部を塞ぐようにグリッド４２が感光体ドラム１９と放電ワイヤ４０との間に配設されている。放電ワイヤ４０のグリッド４２とは反対側には、グリッド４２とほぼ平行となるように板状の導電部材４３が配設されている。導電部材４３は、厚さが２ｍｍから５ｍｍで、放電ワイヤ４０に沿って所定間隔を空けて配置されている。
【００２０】
電圧印加回路４４は、放電ワイヤ４０、グリッド４２、導電部材４３にそれぞれ電気的に接続して所定の電圧を印加する回路である。そして、ケーシング４１及び感光体ドラム１９は接地電位とされている。
【００２１】
以上の構成で放電ワイヤ４０に７ｋＶ、グリッド４２に９００Ｖ、導電部材４３に７ｋＶの電圧をそれぞれ印加したときの電位分布をシミュレーションしたのが図３である。なお、シミュレーションは、有限要素法による２次元解析により行った。比較のため、図２において導電部材４３がない場合について同様にシミュレーションしたのが図４である。図３及び図４を対比すると、図４に示すように導電部材４３がない場合、放電ワイヤ４０の近傍には等電位線が高密度で描かれており、強電界が発生していることがわかる。一方、図３に示すように導電部材４３を配置し、放電ワイヤ４０と同じ７ｋＶの電圧を印加すると、放電ワイヤ４０と導電部材４３との間では等電位線がほとんどなくなり、電界が０に近くなっている。また、放電ワイヤ４０のグリッド４２側においても等電位線が少なくなって電界が弱まっていることがわかる。
【００２２】
このことから、板状の導電部材４３を配設することで、放電ワイヤ４０の導電部材４３側の空間領域では、電界がほぼ０となってコロナ放電に必要な強電界が発生せず、コロナ放電が行われなくなる。そのため、放電ワイヤ４０の導電部材４３側では、空気中に漂う不純物（例えばシリカ等）が放電ワイヤに付着しなくなる。また、放電ワイヤ４０のグリッド４２側の空間領域では、コロナ放電に必要な電界は発生しているものの図４の場合よりも弱い電界となっており、その分放電ワイヤ４０への不純物の付着は抑止される。そして、電界が弱くなったことで、コロナ放電の際に発生するＯ３やＮＯＸといった有害ガスの量を減少させることができる。また、導電部材４３の放電ワイヤ４０と反対側では等電位線の密度が大きくなって電界が強くなっているが、導電部材４３は板状に形成されているため、平面においてコロナ放電が発生することはほとんどない。そのため導電部材４３への不純物の付着も抑止される。
【００２３】
以上説明したように、導電部材４３を放電ワイヤ４０とグリッド４２との間の空間領域（この例では、図２において放電ワイヤ４０とグリッド４２の両側端を平面で結んで囲まれる空間領域）以外の領域内である放電ワイヤ４０のグリッド４２とは反対側に配置することで、図５に示すように放電ワイヤ４０のグリッド４２側でのコロナ放電によりイオン流を発生（図５では矢印により表されている）させながら放電ワイヤ４０への不純物の付着を抑止可能としている。そして、導電部材４３に付着する不純物もほとんどないことから、コロナ帯電器１８は、不純物の付着による影響をほとんど受けることなく感光体ドラム１９表面の良好な帯電を長期間にわたって継続することができる。
【００２４】
なお、導電部材４３の幅は広いほうが好ましく、ケーシング４１に接触しない範囲内で適宜設定することができる。また、コロナ放電部材４０と導電部材４３の間隔は小さいほどよく、接触状態で配置されてもかまわない。また、導電部材４３の角部については、曲率半径を大きくすることでコロナ放電の発生を防止できる。
【００２５】
図６は、別の実施形態を示している。この例では、ケーシング４１を構成する両側面部分４５及び上面部分４６が分離されており、上面部分４６には放電ワイヤ４０と同じ７ｋＶの高電圧が印加されている。そして、両側面部分４５は、下端がグリッド４２の両側端にそれぞれ固定されている。したがって、グリッド４２に９００Ｖの電圧が印加されると、両側面部分４５は同じレベルの９００Ｖの電位状態となる。電圧印加回路４４によりこのような電圧が印加された状態での電位分布をシミュレーションしたのが図７である。図７に示すように、上面部分４６に放電ワイヤ４０と同じレベルの電圧が印加されているので、放電ワイヤ４０の上面部分４６側の電界が弱くなり、コロナ放電の発生が抑えられる。また、両側面部分４５が９００Ｖの電位状態となることで、放電ワイヤ４０と両側面部分４５との間の電位差が小さくなる。そのため、図４と比較して放電ワイヤ４０のグリッド４２側の電界が弱くなり、その分放電ワイヤ４０への不純物の付着は抑止される。そして、電界が弱くなったことで、コロナ放電の際に発生するＯ３やＮＯＸといった有害ガスの量を減少させることができる。また、上面部分４６は平面状に形成されているため、コロナ放電がほとんど発生せず、不純物の付着が抑止される。
【００２６】
この例では、導電部材としてケーシング４１の上面部分４６を用い、放電ワイヤ４０とグリッド４２との間の空間領域以外の領域内である放電ワイヤ４０のグリッド４２とは反対側に配置することで、図８に示すように放電ワイヤ４０のグリッド４２側でのコロナ放電によりイオン流を発生（図８では矢印により表されている）させながら放電ワイヤ４０への不純物の付着を抑止可能としている。そして、ケーシングを導電部材として用いるので、別途導電部材を設ける必要がなく、構成を簡略化することができる。
【００２７】
図９は、さらに別の実施形態を示している。この例では、ケーシング４１に放電ワイヤ４０と同じ７ｋＶの高電圧が印加されており、ケーシング４１全体が放電ワイヤ４０のコロナ放電を抑止する導電部材となっている。そして、グリッド４２には９００Ｖの電圧が印加されている。電圧印加回路４４によりこのような電圧が印加された状態での電位分布をシミュレーションしたのが図１０である。図１０に示すように、ケーシング４１が放電ワイヤ４０と同電位になっているので、放電ワイヤ４０とケーシング４１との間の空間領域での電界は弱くなってコロナ放電の発生が抑えられる。そして、図４と比較して放電ワイヤ４０とグリッド４２との間の電界は弱くなり、その分放電ワイヤ４０への不純物の付着は抑止される。そして、電界が弱くなったことで、コロナ放電の際に発生するＯ３やＮＯＸといった有害ガスの量を減少させることができる。また、ケーシング４１は平面で構成されているため、コロナ放電はほとんど発生せず、不純物の付着が抑止される。
【００２８】
この例では、放電ワイヤ４０を囲むケーシング４１の両側面部分に放電ワイヤ４０と同じ電圧を印加するので、放電ワイヤ４０のグリッド４２側で発生したコロナ放電によるイオン流は、図１１の矢印に示すように、両側面部分により流域が狭められて効率的にグリッド４２に向かって流れるようになる。
【００２９】
図１２は、さらに別の実施形態を示している。この例では、ケーシングの両側面部分のみを配設し、両側面部分を下側面部分４７及び上側面部分４８に分割して配置する。そして、上側面部分４８には、放電ワイヤ４０に印加される高電圧（７ｋＶ）よりもわずかに小さい６ｋＶが印加され、下側面部分４７には、その約半分の電圧（３ｋＶ）が印加されており、下側面部分４７及び上側面部分４８が放電ワイヤ４０のコロナ放電を抑止する導電部材となっている。そして、グリッド４２には９００Ｖの電圧が印加されている。電圧印加回路４４によりこのような電圧が印加された状態での電位分布をシミュレーションしたのが図１３である。図１３に示すように、上側面部分４８から下側面部分４７にかけて電圧が緩やかに低下するため、放電ワイヤ４０からグリッド４２にかけて電位が緩やかに低下していくようになり、図４と比較して放電ワイヤ４０とグリッド４２との間の電界は弱くなり、その分放電ワイヤ４０への不純物の付着は抑止される。そして、電界が弱くなったことで、コロナ放電の際に発生するＯ３やＮＯＸといった有害ガスの量を減少させることができる。また、放電ワイヤ４０のグリッド４２とは反対側では、電界が弱くなるため、コロナ放電がほとんど発生せず放電ワイヤ４０への不純物の付着が抑えられる。また、下側面部分４７及び上側面部分４８は平面形状であるため、コロナ放電が発生することがなく、不純物の付着が抑止される。
【００３０】
この例においても、上側面部分４８に放電ワイヤ４０に印加される電圧よりわずかに小さい電圧が印加され、下側面部分４７にもその半分程度の電圧が印加されているので、図１４に示すように、放電ワイヤ４０のグリッド４２側でのコロナ放電により生成するイオン流（図１４では矢印で表されている）は、グリッド４２側に向くように制御される。
【００３１】
図１５は、さらに別の実施形態を示している。この例では、ケーシングの両側面部分４５と上面部分４６とを分離して配設し、上面部分４６には放電ワイヤ４０と同じ７ｋＶを印加し、両側面部分４５にはその半分程度の電圧（３ｋＶ）を印加する。この場合、上面部分４６及び両側面部分４５が放電ワイヤ４０のコロナ放電を抑止する導電部材となっている。そして、グリッド４２には９００Ｖの電圧が印加されている。電圧印加回路４４によりこのような電圧が印加された状態での電位分布をシミュレーションしたのが図１６である。図１６に示すように、放電ワイヤ４０と上面部分４６との間では電界が弱くなってコロナ放電の発生がほとんどなくなり、放電ワイヤ４０への不純物の付着が抑えられる。また、両側面部分４５に放電ワイヤ４０に印加される電圧の半分程度の電圧が印加されているので、放電ワイヤ４０とグリッド４２との間の電界が弱くなり、その分放電ワイヤ４０への不純物の付着は抑止される。そして、電界が弱くなったことで、コロナ放電の際に発生するＯ３やＮＯＸといった有害ガスの量を減少させることができる。
【００３２】
この例においても、両側面部分４５に放電ワイヤ４０に印加される電圧の半分程度の電圧が印加されることで、図１７に示すように、放電ワイヤ４０のグリッド４２側でのコロナ放電により生成するイオン流（図１７では矢印で表されている）は、グリッド４２側に向くように制御される。
【００３３】
以上のように、コロナ放電部材とグリッドとの間の空間領域−すなわち、コロナ放電により生成するイオン流が流れる流域に影響を与えることなく、コロナ放電部材への不純物の付着を抑えることができる。したがって、コロナ放電部材が上述した放電ワイヤ以外の形状の場合でもイオン流が流れる流域以外の領域に板状の導電部材を配設すれば、上記の実施形態と同様の作用効果を得ることができる。
【図面の簡単な説明】
【００３４】
【図１】本発明に係る実施形態に関する画像形成装置全体の概略断面図である。
【図２】コロナ帯電器に関する一部拡大断面図である。
【図３】図２のコロナ帯電器内における電位分布図である。
【図４】従来のコロナ帯電器の電位分布を示す拡大断面図である。
【図５】図２のコロナ帯電器内におけるイオン流を模式的に示す説明図である。
【図６】別の実施形態のコロナ帯電器に関する一部拡大断面図である。
【図７】図６のコロナ帯電器内における電位分布図である。
【図８】図６のコロナ帯電器内におけるイオン流を模式的に示す説明図である。
【図９】さらに別の実施形態のコロナ帯電器に関する一部拡大断面図である。
【図１０】図９のコロナ帯電器内における電位分布図である。
【図１１】図９のコロナ帯電器内におけるイオン流を模式的に示す説明図である。
【図１２】さらに別の実施形態のコロナ帯電器に関する一部拡大断面図である。
【図１３】図１２のコロナ帯電器内における電位分布図である。
【図１４】図１２のコロナ帯電器内におけるイオン流を模式的に示す説明図である。
【図１５】さらに別の実施形態のコロナ帯電器に関する一部拡大断面図である。
【図１６】図１５のコロナ帯電器内における電位分布図である。
【図１７】図１５のコロナ帯電器内におけるイオン流を模式的に示す説明図である。
【符号の説明】
【００３５】
１    画像形成装置
２    給紙部
３    記録部
18    コロナ帯電器
19    感光体ドラム
40    コロナ放電部材
41    ケーシング
42    グリッド
43    導電部材
44    電圧印加回路
45    側面部分
46    上面部分
47    下側面部分
48    上側面部分
【図１】
2006003834.tif 000003
【図２】
2006003834.tif 000004
【図３】
2006003834.tif 000005
【図４】
2006003834.tif 000006
【図５】
2006003834.tif 000007
【図６】
2006003834.tif 000008
【図７】
2006003834.tif 000009
【図８】
2006003834.tif 000010
【図９】
2006003834.tif 000011
【図１０】
2006003834.tif 000012
【図１１】
2006003834.tif 000013
【図１２】
2006003834.tif 000014
【図１３】
2006003834.tif 000015
【図１４】
2006003834.tif 000016
【図１５】
2006003834.tif 000017
【図１６】
2006003834.tif 000018
【図１７】
2006003834.tif 000019